(57)【特許請求の範囲】
【請求項１】
画像表示領域を備え、回路が形成された素子基板と前記素子基板と対向配置された対向基板とを備えた電気光学パネルと、
前記電気光学パネルを前記対向基板側で支持するフレームと、
前記電気光学パネルの前記素子基板側で前記画像表示領域に重なり、平面視において前記素子基板の第１側端面と前記画像表示領域との間に一方の端部が位置する透光板と、
前記画像表示領域と重ならずに前記透光板の前記電気光学パネルとは反対側の面に重なる枠状板部、および該枠状板部の側から前記フレームに向けて延在して当該フレームと係合する一対の係合板部を備えた板状カバーと、を有し、
前記フレーム及び前記板状カバーは、平面視において前記第１側端面の延在方向と交差した辺に開口部を備え、
前記透光板の一方の端部、前記素子基板の前記透光板から露出している部分、前記フレームおよび前記板状カバーは、前記第１側端面の延在方向に沿って延在して前記開口部を介して第１通気路を区画していることを特徴とする電気光学モジュール。
【請求項２】
前記透光板は、平面視において前記素子基板の前記第１側端面に対向する第２側端面と前記画像表示領域との間に他方の端部が位置し、
前記透光板の他方の端部、前記素子基板の前記透光板から露出している部分、前記フレームおよび前記板状カバーは、前記第２側端面の延在方向に沿って延在して前記開口部を介して第２通気路を区画していることを特徴とする請求項１に記載の電気光学モジュール。
【請求項３】
前記枠状板部は、前記画像表示領域に対する見切り部を構成していることを特徴とする請求項２に記載の電気光学モジュール。
【請求項４】
前記板状カバーは、金属製であることを特徴とする請求項２または３に記載の電気光学モジュール。
【請求項５】
前記透光板は、前記電気光学パネルよりサイズが小さく、
前記透光板の端部は、平面視において、当該透光板の全周で前記電気光学パネルと前記画像表示領域との間に配置されていることを特徴とする請求項２乃至４の何れか一項に記載の電気光学モジュール。
【請求項６】
前記一対の係合板部は、前記第１側端面および前記第２側端面が位置する側に設けられ、
前記フレームは、前記一対の係合板部が位置する側で他方面側に突出して前記延在方向に延在する板状突部を備えていることを特徴とする請求項２乃至５の何れか一項に記載の電気光学モジュール。
【請求項７】
前記フレームは、前記第１通気路の延長線上および前記第２通気路の延長線上に、前記開口部の側に位置する角部分が湾曲面になっている角柱状の柱状部、または円柱状の柱状部を備えていることを特徴とする請求項２乃至６の何れか一項に記載の電気光学モジュール。
【請求項８】
前記フレームは、前記第１通気路の延長線上および前記第２通気路の延長線上を避けた位置に柱状部を備えていることを特徴とする請求項２乃至７の何れか一項に記載の電気光学モジュール。
【請求項９】
請求項１乃至８の何れか一項に記載の電気光学モジュールを備えた電子機器であって、
前記電気光学モジュールに供給される光を出射する光源部と、
前記電気光学モジュールによって変調された光を投射する投射光学系と、
を有していることを特徴とする電子機器。
【発明の詳細な説明】
【技術分野】
【０００１】
本発明は、投射型表示装置等の電子機器に用いられる電気光学モジュール、および該電気光学モジュールを備えた電子機器に関するものである。
【背景技術】
【０００２】
投射型表示装置等の電子機器において画像を表示する際には、液晶パネル等の電気光学パネルによって変調した光を利用する。電気光学パネルは、例えば、透光性の第１基板と透光性の第２基板との間に液晶層等の電気光学物質層が設けられた構成を有しており、フレーム等に支持された状態で用いられる。ここで、液晶パネル（電気光学パネル）に光源光が供給されると、液晶パネル（電気光学パネル）が発生し、液晶層の特性が低下し、表示品位が低下する。
【０００３】
そこで、液晶パネルをプレートとカバーとの間に挟んだ構成の電気光学装置において、カバーにおいて液晶パネルが配置される側をくり抜いて冷却風導通部を形成しておき、冷却風導通部内を通過する冷却空気によって液晶パネルを冷却する構造が提案されている（特許文献１参照）。
【先行技術文献】
【特許文献】
【０００４】
【特許文献１】特開２００４−３２５５７５号公報
【発明の概要】
【発明が解決しようとする課題】
【０００５】
しかしながら、特許文献１に記載の構成のように、カバーにおいて液晶パネルが配置される側をくり抜いて冷却風導通部を形成した場合には、カバーの製造に多大な手間がかかるため、高価な部品になってしまうという問題点がある。また、カバーにおいて液晶パネルが配置される側をくり抜いて冷却風導通部を形成しても、液晶パネルの側端面が冷却風導通部に面しているだけであるため、冷却効果が低いという問題点がある。
【０００６】
以上の問題点に鑑みて、本発明の課題は、電気光学パネルで発生した熱を効率よく逃がすことのできる通気路を簡素な構成で実現することができる電気光学モジュール、および当該電気光学モジュールを備えた電子機器を提供することにある。
【課題を解決するための手段】
【０００７】
上記課題を解決するために、本発明に係る電気光学モジュールは、画像表示領域を備えた電気光学パネルと、前記電気光学パネルを該電気光学パネルの一方面側で支持するフレームと、前記電気光学パネルの他方面側で前記画像表示領域に重なり、平面視において前記電気光学パネルの第１側端面と前記画像表示領域との間に端部が位置する透光板と、前記画像表示領域と重ならずに前記透光板の前記電気光学パネルとは反対側の面に重なる枠状板部、および該枠状板部の側から前記フレームに向けて延在して当該フレームと係合する一対の係合板部を備え、前記透光板の側端面、前記第１側端面の側で前記電気光学パネルが前記透光板から露出している部分、および前記フレームとともに、前記第１側端面の延在方向に沿って延在して当該延在方向の両側で開口する第１通気路を区画する板状カバーと、を有していることを特徴とする。
【０００８】
本発明において「透光板」は、少なくとも画像表示領域に平面視で重なる領域が透光性であればよく、画像表示領域以外と平面視で重なる領域については、透光性である構成、および透光性でない構成のいずれであってもよい。
【０００９】
本発明において、電気光学パネルには、画像表示領域と重なるように透光板が設けられているため、電気光学パネルに直接、塵等が付着することがない。また、透光板は、電気光学パネルの第１側端面と画像表示領域との間に端部が位置するため、電気光学パネルにおいて、第１側端面が位置する側は、透光板から露出している。また、電気光学パネルの他方面側には、透光板の電気光学パネルとは反対側の面に重なる枠状板部を備えた板状カバーが設けられており、かかる板状カバーは、係合板部がフレームと係合してフレームと結合されている。この状態で、板状カバーは、透光板の側端面、第１側端面の側で電気光学パネルが前記透光板から露出している部分、およびフレームとともに、第１側端面の延在方向に沿って延在して延在方向の両側で開口する第１通気路を構成している。このため、電気光学モジュールに供給された冷却空気は、電気光学モジュール内の第１通気路を通る際、電気光学パネルで発生した熱を受け取り、電気光学モジュールの外部に逃がす。ここで、電気光学パネルの一方面側は、第１側端面が位置する側が透光板から露出し、かかる露出部分も第１通気路を構成しているため、第１通気路を通る冷却空気による冷却効果が高い。また、第１通気路を構成するにあたって、透光板のサイズを電気光学パネルの他方面側が部分的に露出するように小さくするとともに、板材を所定形状に加工した板状カバーを用いるため、比較的簡素な構成で電気光学パネルを効率よく冷却することができる。
【００１０】
本発明において、前記透光板は、平面視において前記電気光学パネルの前記第１側端面に対向する第２側端面と前記画像表示領域との間に端部が位置し、前記板状カバーは、前記透光板の側端面、前記第２側端面の側で前記電気光学パネルが前記透光板から露出している部分、および前記フレームとともに、前記第２側端面の延在方向に沿って延在して当該延在方向の両側で開口する第２通気路を区画していることが好ましい。かかる構成によれば、第２通気路を通る冷却空気によって電気光学モジュールの熱を効率よく逃がすことができる。第１通気路および第２通気路を構成する場合でも、透光板のサイズを電気光学パネルの他方面側が部分的に露出するように小さくするとともに、板材を所定形状に加工した板状カバーを用いるだけでよく、比較的簡素な構成で電気光学パネルを効率よく冷却することができる。
【００１１】
本発明において、前記枠状板部は、前記画像表示領域に対する見切り部を構成していることが好ましい。かかる構成によれば、見切り部材を別途設ける必要がないという利点がある。
【００１２】
本発明において、前記板状カバーは、金属製であることが好ましい。かかる構成によれば、電気光学パネルで発生した熱を、板状カバーを介して逃がすことができる。従って、電気光学パネルの温度上昇を低く抑えることができる。
【００１３】
本発明において、前記透光板は、前記電気光学パネルよりサイズが小さく、前記透光板の端部は、平面視において、当該透光板の全周で前記電気光学パネルと前記画像表示領域との間に配置されていることが好ましい。かかる構成によれば、透光板の全周において電気光学パネルが露出している。このため、電気光学パネルが透光板から露出している面積が広いので、電気光学モジュールに供給された冷却空気が第１通気路および第２通気路に流入する際、および冷却空気が第１通気路および第２通気路から流出する際、電気光学パネルにおいて第１通気路および第２通気路が形成されていない側も冷却空気によって効率よく冷却されることになる。
【００１４】
本発明において、前記一対の係合板部は、前記第１側端面および前記第２側端面が位置する側に設けられ、前記フレームは、前記一対の係合板部が位置する側で前記他方面側に突出して前記延在方向に延在する板状突部を備えていることが好ましい。かかる構成によれば、係合板部を一対の側端面が位置する側(通気路が設けられている側)に設けた場合でも、フレームの板状突部で通気路を区画することができる。それ故、係合板部を通気路の延在方向の全体にわたって設けなくても、通気路から冷却空気が漏れることを防止することができ、冷却空気の漏れに起因する冷却効果の低下を防止することができる。
【００１５】
本発明において、前記フレームは、前記第１通気路の延長線上および前記第２通気路の延長線上に、前記第１通気路および前記第２通気路が開口する側に位置する角部分が湾曲面になっている角柱状の柱状部、または円柱状の柱状部を備えていることが好ましい。かかる構成によれば、通気路の延長線上に柱状部が存在している場合でも、冷却空気は、柱状部の湾曲面に沿ってスムーズに流れるので、通気路内への冷却空気の流入や、通気路内からの冷却空気の流出がスムーズである。それ故、通気路の延長線上に存在する柱状部によって冷却効果が低下することを防止することができる。
【００１６】
本発明において、前記フレームは、前記第１通気路の延長線上および前記第２通気路の延長線上を避けた位置に柱状部を備えている構成を採用してもよい。かかる構成によれば、フレームに柱状部が設けられている場合でも、通気路内への冷却空気の流入や、通気路内からの冷却空気の流出の際、冷却空気の流速が柱状部によって低下することを防止することができる。
【００１７】
本発明に係る電気光学モジュールは各種電子機器に用いることができる。また、電子機器として投射型表示装置を構成した場合、電子機器は、前記電気光学モジュールに供給される光を出射する光源部と、前記電気光学モジュールによって変調された光を投射する投射光学系と、を有している。
【図面の簡単な説明】
【００１８】
【図１】本発明を適用した電子機器の一例としての投射型表示装置の説明図である。
【図２】本発明を適用した投射型表示装置に用いた光学ユニットの構成を示す説明図である。
【図３】本発明を適用した投射型表示装置に用いた光学ユニットの詳細構成を示す説明図である。
【図４】本発明を適用した電気光学モジュールに用いた電気光学パネルの説明図である。
【図５】本発明の実施の形態１に係る電気光学モジュールを光出射側からみたときの斜視図である。
【図６】図５に示す電気光学モジュールの説明図である。
【図７】図５に示す電気光学モジュールを分解した様子を光出射側からみたときの分解斜視図である。
【図８】図５に示す電気光学モジュールの断面構成を拡大して示す説明図である。
【図９】本発明の実施の形態３に係る電気光学モジュールから板状カバーを外した状態の斜視図である。
【図１０】本発明の実施の形態４に係る電気光学モジュールのＹａ−Ｙａ′断面図を拡大して示す説明図である。
【発明を実施するための形態】
【００１９】
図面を参照して、本発明の実施の形態を説明する。なお、以下の説明では、本発明を適用した電子機器として、透過型の電気光学パネル（透過型の液晶パネル）を備えた電気光学モジュールをライトバルブとして用いた投射型表示装置を説明する。また、以下の説明で参照する図においては、各層や各部材を図面上で認識可能な程度の大きさとするため、各層や各部材毎に縮尺を異ならしめてある。
【００２０】
［実施の形態１］
（投射型表示装置（電子機器）の構成）
図１は、本発明を適用した電子機器の一例としての投射型表示装置の説明図であり、図１（ａ）、（ｂ）は、投射型表示装置の主要部分の平面的な構成を示す説明図、および主要部分を側方からみたときの説明図である。図２は、本発明を適用した投射型表示装置に用いた光学ユニットの構成を示す説明図である。
【００２１】
図１に示す投射型表示装置１において、外装ケース２の内部には、その後端側に電源ユニット７が配置され、電源ユニット７に装置前側で隣り合う位置に光源ランプユニット８（光源部）および光学ユニット９が配置されている。また、外装ケース２の内部には、光学ユニット９の前側の中央に投射レンズユニット６の基端側が位置している。光学ユニット９の一方の側には、入出力インターフェース回路が搭載されたインターフェース基板１１が装置前後方向に向けて配置され、インターフェース基板１１に平行に、ビデオ信号処理回路が搭載されたビデオ基板１２が配置されている。光源ランプユニット８および光学ユニット９の上側には装置駆動制御用の制御基板１３が配置され、装置前端側の左右の角の各々にはスピーカー１４Ｒ、１４Ｌが配置されている。
【００２２】
光学ユニット９の上方および下方には装置内部冷却用の吸気ファン１５Ａ、１５Ｂが配置されている。また、光源ランプユニット８の裏面側である装置側面には排気ファン１６が配置されている。さらに、インターフェース基板１１およびビデオ基板１２の端に面する位置には、吸気ファン１５Ａからの冷却用空気流を電源ユニット７内に吸引するための補助冷却ファン１７が配置されている。これらのファンのうち、吸気ファン１５Ｂは、主に後述する液晶パネルの冷却用ファンとして機能している。
【００２３】
図２において、光学ユニット９を構成する各光学素子（要素）は、色光合成手段を構成しているプリズムユニット２０を含めて、ＭｇやＡｌ等の金属からなる上ライトガイド２１または下ライトガイド２２により支持されている。上ライトガイド２１および下ライトガイド２２は、アッパーケース３およびロアーケース４に固定ねじにより固定されている。
【００２４】
（光学ユニット９の詳細構成）
図３は、本発明を適用した投射型表示装置に用いた光学ユニットの詳細構成を示す説明図である。図３に示すように、光学ユニット９は、光源ランプ８０５と、均一照明光学素子であるインテグレーターレンズ９２１、９２２を有する照明光学系９２３と、この照明光学系９２３から出射される光束Ｗを、赤、緑、青の各光束Ｒ、Ｇ、Ｂに分離する色光分離光学系９２４とを有している。また、光学ユニット９は、各色光束を変調する電気光学パネル（ライトバルブ）としての３枚の透過型の電気光学パネル４０（Ｒ）、４０（Ｇ）、４０（Ｂ）と、変調された色光束を合成する色光合成光学系としてのプリズムユニット２０と、合成された光束を投射面上に拡大投射する投射レンズユニット６とを有している。また、色光分離光学系９２４によって分離された各色光束のうち、青色光束Ｂを対応する電気光学パネル４０（Ｂ）に導くリレー光学系９２７を備えている。照明光学系９２３は、さらに、反射ミラー９３１を備えており、光源ランプ８０５からの出射光の光軸１ａを装置前方向に向けて直角に折り曲げるようにしている。この反射ミラー９３１を挟み、インテグレーターレンズ９２１、９２２が前後に直交する状態に配置されている。
【００２５】
色光分離光学系９２４は、青緑反射ダイクロイックミラー９４１と、緑反射ダイクロイックミラー９４２と、反射ミラー９４３から構成される。まず、青緑反射ダイクロイックミラー９４１において、照明光学系９２３を通った光束Ｗのうち、そこに含まれている青色光束Ｂおよび緑色光束Ｇが直角に反射されて、緑反射ダイクロイックミラー９４２の側に向かう。赤色光束Ｒは、この青緑反射ダイクロイックミラー９４１を通過して、後方の反射ミラー９４３で直角に反射されて、赤色光束の出射部９４４から色光合成光学系の側に出射される。次に、緑反射ダイクロイックミラー９４２において、青緑反射ダイクロイックミラー９４１において反射された青および緑の光束Ｂ、Ｇのうち、緑色光束Ｇのみが直角に反射されて、緑色光束の出射部９４５から色光合成光学系の側に出射される。緑反射ダイクロイックミラー９４２を通過した青色光束Ｂは、青色光束の出射部９４６からリレー光学系９２７の側に出射される。本形態では、照明光学系９２３の光束の出射部から色光分離光学系９２４における各色光束の出射部９４４、９４５、９４６までの距離が、全てほぼ等しくなるように設定されている。
【００２６】
色光分離光学系９２４の赤色光束および緑色光束の出射部９４４、９４５の出射側には、それぞれ集光レンズ９５１、９５２が配置されている。したがって、各出射部から出射した赤色光束および緑色光束は、これらの集光レンズ９５１、９５２に入射して平行化される。
【００２７】
平行化された赤色および緑色の光束Ｒ、Ｇは、偏光板１６０（Ｒ）、１６０（Ｇ）によって偏光方向が揃えられた後、電気光学パネル４０（Ｒ）、４０（Ｇ）に入射して変調され、各色光に対応した画像情報が付加される。すなわち、これらの電気光学パネル４０（Ｒ）、４０（Ｇ）は、図示していない駆動手段によって画像情報に対応する画像信号によってスイッチング制御され、これにより、ここを通過する各色光の変調が行われる。このような駆動手段は、公知の手段をそのまま使用することができる。
【００２８】
一方、青色光束Ｂは、リレー光学系９２７を介し、さらに、偏光板１６０（Ｂ）によって偏光方向が揃えられた後、対応する電気光学パネル４０（Ｂ）に導かれて、ここにおいて、同様に画像情報に応じて変調が施される。リレー光学系９２７は、集光レンズ９７４と入射側反射ミラー９７１と、出射側反射ミラー９７２と、これらのミラー間に配置した中間レンズ９７３と、電気光学パネル４０（Ｂ）の手前側に配置した集光レンズ９５３から構成される。各色光束の光路の長さ、すなわち、光源ランプ８０５から各液晶パネルまでの距離は、青色光束Ｂが最も長くなり、従って、この光束の光量損失が最も多くなる。しかし、リレー光学系９２７を介在させることにより、光量損失を抑制できる。
【００２９】
各電気光学パネル４０（Ｒ）、４０（Ｇ）、４０（Ｂ）を通って変調された各色光束は、偏光板１６１（Ｒ）、１６１（Ｇ）、１６１（Ｂ）に入射し、これを透過した光がプリズムユニット２０（クロスダイクロイックプリズム）に入射して合成される。ここで合成されたカラー画像は、投射レンズ系を備えた投射レンズユニット６を介して、所定の位置にあるスクリーン等の被投射面１ｂ上に拡大投射される。
【００３０】
（電気光学パネル４０の構成）
図４は、本発明を適用した電気光学モジュールに用いた電気光学パネル４０の説明図であり、図４（ａ）、（ｂ）は各々、電気光学パネル４０を各構成要素とともに第２基板（対向基板）の側から見た平面図、およびそのＨ−Ｈ′断面図である。
【００３１】
なお、図４および後述する図５〜図８等において、光源光の進行方向については矢印Ｌ１１で示し、電気光学パネル４０によって光源光を変調した後の表示光の進行方向については矢印Ｌ１２で示し、図１に示す吸気ファン１５Ｂ等によって電気光学パネル４０に供給される冷却空気の流れについては矢印Ａで示してある。また、以下の説明では、電気光学パネル４０および電気光学モジュールの面内方向で互いに交差する２方向のうちの一方をＸ軸方向とし、他方をＹ軸方向とし、Ｘ軸方向およびＹ軸方向に交差する方向をＺ軸方向とする。また、以下に参照する図面では、Ｘ軸方向の一方側（フレキシブル配線基板４０ｉが設けられている側）をＸ１側とし、他方側をＸ２側とし、Ｙ軸方向の一方側をＹ１側とし、他方側をＹ２側とし、Ｚ軸方向の一方側（光源光が入射する側）をＺ１側とし、これと他方側（表示光が出射される側）をＺ２側として表してある。
【００３２】
図１〜図３を参照して説明した投射型表示装置１において、光学ユニット９に電気光学パネル４０（Ｒ）、４０（Ｇ）、４０（Ｂ）を搭載するにあたっては、電気光学パネル４０（Ｒ）、４０（Ｇ）、４０（Ｂ）を各々、後述する電気光学モジュール１０（Ｒ）、１０（Ｇ）、１０（Ｂ）として搭載する。ここで、電気光学パネル４０（Ｒ）、４０（Ｇ）、４０（Ｂ）は同一の構成を有しており、電気光学パネル４０（Ｒ）、４０（Ｇ）、４０（Ｂ）を備えた電気光学モジュール１０（Ｒ）、１０（Ｇ）、１０（Ｂ）も赤色用（Ｒ）、緑色用（Ｇ）、青色用（Ｂ）で同一の構成を有している。従って、以下の説明では、電気光学パネル４０（Ｒ）、４０（Ｇ）、４０（Ｂ）および電気光学モジュール１０（Ｒ）、１０（Ｇ）、１０（Ｂ）等については、対応する色を示す（Ｒ）（Ｇ）（Ｂ）を付さずに説明する。
【００３３】
図４に示すように、電気光学パネル４０では、透光性の第１基板５１（素子基板）と透光性の第２基板５２（対向基板）とが所定の隙間を介してシール材４０７によって貼り合わされている。第１基板５１および第２基板５２は石英ガラスや耐熱ガラス等が用いられており、本形態において、第１基板５１および第２基板５２には石英ガラスが用いられている。本形態において、電気光学パネル４０は液晶パネルであり、第１基板５１と第２基板５２との間においてシール材４０７によって囲まれた領域内に電気光学物質層４５０としての液晶層が保持されている。シール材４０７は、第２基板５２の外縁に沿うように枠状に設けられている。シール材４０７は、光硬化性を備えた接着剤、熱硬化性の接着剤、あるいは光硬化性および熱硬化性の双方を備えた接着剤であり、両基板間の距離を所定値とするためのグラスファイバー、あるいはガラスビーズ等のギャップ材が配合されている。
【００３４】
本形態において、第１基板５１は四角形であり、４つの辺の各々に側端面５１１、５１２、５１３、５１４を備えている。第２基板５２も、第１基板５１と同様、四角形であり、４つの辺の各々に側端面５２１、５２２、５２３、５２４を備えている。このため、電気光学パネル４０の側端面は、第１基板５１の側端面５１１、５１２、５１３、５１４、および第２基板５２の側端面５２１、５２２、５２３、５２４により構成されている。
【００３５】
本形態において、第１基板５１は第２基板５２よりサイズが大きく、第１基板５１の４つの側端面５１１、５１２、５１３、５１４は各々、第２基板５２の側端面５２１、５２２、５２３、５２４より外側に位置する。このため、第２基板５２の周りには、第１基板５１と第２基板５２の側端面５２１、５２２、５２３、５２４とによって段部４０ｓ、４０ｔ、４０ｕ、４０ｖが形成され、かかる段部４０ｓ、４０ｔ、４０ｕ、４０ｖでは、第１基板５１が第２基板５２から露出した状態にある。
【００３６】
かかる構成の電気光学パネル４０において、電気光学パネル４０の側端面は、第１基板５１の側端面５１１、５１２、５１３、５１４に相当し、本発明における「電気光学パネル４０の第１側端面」は「第１基板５１の側端面５１１」に相当し、「電気光学パネル４０の第２側端面」は「第１基板５１の側端面５１２」に相当する。
【００３７】
電気光学パネル４０の略中央には、変調光を出射する画像表示領域４０ａが四角形の領域として設けられている。かかる形状に対応して、シール材４０７も略四角形に設けられている。また、電気光学パネル４０では、画像表示領域４０ａの端部と電気光学パネル４０の側端面（第１基板５１の側端面５１１、５１２、５１３、５１４）との間には、四角枠状の周辺領域４０ｃが設けられている。
【００３８】
第１基板５１は、側端面５１４が位置する側の端部（Ｙ軸方向の一方側Ｙ１の端部）が他の端部より第２基板５２の側端面５２４から大きく張り出しており、第１基板５１には、側端面５１４に沿ってデータ線駆動回路４０１および複数の端子４０２が形成されている。また、第１基板５１には、側端面５１１、５１２に沿って走査線駆動回路４０４が形成されている。端子４０２には、フレキシブル配線基板４０ｉが接続されており、第１基板５１には、フレキシブル配線基板４０ｉを介して各種電位や各種信号が入力される。なお、第１基板５１では、側端面５１４とフレキシブル配線基板４０ｉとに跨るように補強用の接着剤４１が塗布されている。
【００３９】
第１基板５１の第１面５１ａおよび第２面５１ｂのうち、第２基板５２と対向する第１面５１ａには、画像表示領域４０ａに、透光性の画素電極４０５ａおよび画素電極４０５ａに対応する画素トランジスター（スイッチング素子／図示せず）を備えた画素がマトリクス状に形成されており、かかる画素電極４０５ａの上層側には配向膜４１６が形成されている。また、第１基板５１の第１面５１ａにおいて、周辺領域４０ｃのうち、シール材４０７より内側の領域には、画素電極４０５ａと同時形成されたダミー画素電極４０５ｂが形成されている。ダミー画素電極４０５ｂについては、ダミーの画素トランジスターと電気的に接続された構成、ダミーの画素トランジスターが設けられずに配線に直接、電気的に接続された構成、あるいは電位が印加されていないフロート状態にある構成が採用される。
【００４０】
第２基板５２の第１面５２ａおよび第２面５２ｂのうち、第１基板５１と対向する第１面５２ａには透光性の共通電極４２１が形成されており、共通電極４２１の上層には配向膜４２６が形成されている。共通電極４２１は、第２基板５２の略全面あるいは複数の帯状電極として複数の画素に跨って形成されており、本形態において、共通電極４２１は、第２基板５２の略全面に形成されている。また、第２基板５２の第１面５２ａには、共通電極４２１の下層側に遮光層４０８が形成されている。本形態において、遮光層４０８は、画像表示領域４０ａの外周縁に沿って延在する額縁状に形成されており、かかる遮光層４０８の内縁によって画像表示領域４０ａが規定されている。遮光層４０８の外周縁は、シール材４０７の内周縁との間に隙間を隔てた位置にあり、遮光層４０８とシール材４０７とは被さっていない。また、第２基板５２において、隣り合う画素電極４０５ａにより挟まれた領域と重なる領域等には、遮光層４０８と同時形成された遮光層がブラックマトリクスあるいはブラックストライプとして形成されることもある。
【００４１】
第１基板５１には、シール材４０７より外側において第２基板５２の角部分と重なる領域に、第１基板５１と第２基板５２との間で電気的導通をとるための基板間導通用電極４０９が形成されている。基板間導通用電極４０９と第２基板５２との間には、導電粒子を含んだ基板間導通材４０９ａが配置されており、第２基板５２の共通電極４２１は、基板間導通材４０９ａおよび基板間導通用電極４０９を介して、第１基板５１側に電気的に接続されている。このため、共通電極４２１は、第１基板５１の側から共通電位が印加されている。シール材４０７は、略同一の幅寸法をもって第２基板５２の外周縁に沿って設けられている。但し、シール材４０７は、第２基板５２の角部分と重なる領域では基板間導通用電極４０９を避けて内側を通るように設けられている。
【００４２】
かかる構成の電気光学パネル４０において、本形態では、画素電極４０５ａおよび共通電極４２１がＩＴＯ膜等の透光性導電膜により形成されているため、電気光学パネル４０は透過型の液晶パネルである。かかる透過型の液晶パネル（電気光学パネル４０）の場合、第１基板５１および第２基板５２のうち、一方側の基板から入射した光が他方側の基板を透過して出射される間に変調される。本形態では、第２基板５２から入射した光（矢印Ｌ１１で示す）が第１基板５１を透過して変調光（矢印Ｌ１２で示す）として出射される構成になっている。このため、第２基板５２はＺ軸方向の一方側Ｚ１（光源光の入射側）に配置され、第１基板５１はＺ軸方向の他方側Ｚ２（表示光の出射側）に配置されている。本形態の電気光学パネル４０は、前記した投射型表示装置（液晶プロジェクター）において、ライトバルブとして用いられるため、カラーフィルターは形成されない。但し、電気光学パネル４０を、モバイルコンピューター、携帯電話機等といった電子機器の直視型のカラー表示装置として用いる場合、第２基板５２には、カラーフィルターが形成される。
【００４３】
（電気光学モジュール１０の全体構成）
図５は、本発明の実施の形態１に係る電気光学モジュールを光出射側からみたときの斜視図であり、図５（ａ）、（ｂ）は、電気光学モジュール全体の斜視図、および板状カバーを外した状態の電気光学モジュールの斜視図である。図６は、図５に示す電気光学モジュールの説明図であり、図６（ａ）、（ｂ）、（ｃ）、（ｄ）は、電気光学モジュールを光出射側からみたときの平面図、Ｙａ−Ｙａ′断面図、Ｘａ−Ｘａ′断面図、および光入射側からみたときの底面図である。図７は、図５に示す電気光学モジュールを分解した様子を光出射側からみたときの分解斜視図である。図８は、図５に示す電気光学モジュールの断面構成を拡大して示す説明図であり、図８（ａ）、（ｂ）は、Ｙａ−Ｙａ′断面図を拡大して示す説明図、およびＸａ−Ｘａ′断面図を拡大して示す説明図である。
【００４４】
図４を参照して説明した電気光学パネル４０を、図１〜図３を参照して説明した投射型表示装置１および光学ユニット９に搭載するにあたっては、補強等を目的に、図５〜図８に示すように、電気光学パネル４０をフレーム６０により支持した電気光学モジュール１０とする。また、本形態の電気光学モジュール１０では、電気光学パネル４０およびフレーム６０に加えて、見切り部材８０や板状カバー９０が用いられている。以下、図８を中心に参照して、電気光学モジュール１０の詳細構成を説明する。
【００４５】
（第１透光板５６および第２透光板５７の構成）
図８等に示すように、本形態では、電気光学パネル４０を用いて電気光学モジュール１０を構成するにあたって、第１基板５１の第２面５１ｂ（外面／第１基板５１の第２基板５２と反対側の面）に第１透光板５６が接着剤等により貼付され、第２基板５２の第２面５２ｂ（外面／第２基板５２の第１基板５１と反対側の面）に第２透光板５７が接着剤等により貼付されている。第１透光板５６および第２透光板５７は各々、防塵ガラスとして構成されており、塵等が第１基板５１の外面（第２面５１ｂ）および第２基板５２の外面（第２面５２ｂ）に付着するのを防止する。このため、電気光学パネル４０に塵が付着したとしても、塵は電気光学物質層４５０から離間している。従って、図１等を参照して説明した投射型表示装置１から投射された画像に塵が像として写し出されることを抑制することができる。第１透光板５６および第２透光板５７には石英ガラスや耐熱ガラス等が用いられており、本形態において、第１透光板５６および第２透光板５７には、第１基板５１および第２基板５２と同様、石英ガラスが用いられており、その厚さは１．１〜１．２ｍｍである。
【００４６】
ここで、第１透光板５６は、第１基板５１の第２面５１ｂの一部を露出させた状態で電気光学パネル４０の少なくとも画像表示領域４０ａに重なるように設けられている。より具体的には、第１透光板５６は、第１基板５１よりサイズが小さい四角形状であり、第１透光板５６の端部５６１、５６２、５６３、５６４は各々、第１透光板５６の全周において第１基板５１の側端面５１１、５１２、５１３、５１４より内側に位置し、第１基板５１の側端面５１１、５１２、５１３、５１４と画像表示領域４０ａの端部との間に重なっている。このため、第１透光板５６においてＸ軸方向で相対向する端部５６１、５６２は各々、電気光学パネル４０のＸ軸方向の他方側Ｘ２に位置する第１側端面（第１基板５１の側端面５１１）と画像表示領域４０ａとの間、および電気光学パネル４０のＸ軸方向の一方側Ｘ１に位置する第２側端面（第１基板５１の側端面５１２）と画像表示第１側端面（第１基板５１の側端面５１１）と画像表示領域４０ａとの間に位置する。従って、第１基板５１の第２面５１ｂの側端面５１１、５１２が位置する側の端部は第１透光板５６から露出している。また、第１透光板５６においてＹ軸方向で相対向する端部５６３、５６４は、電気光学パネル４０のＹ軸方向で相対向する一対の側端面を構成する第１基板５１の側端面５１３、５１４と画像表示領域４０ａの端部との間に位置しており、第１基板５１の第２面５１ｂの側端面５１３、５１４が位置する側の端部も第１透光板５６から露出している。このため、第１透光板５６の周りには、第１透光板５６の端部５６１、５６２、５６３、５６４と第１基板５１の第２面５１ｂとによって段部４０ｅ、４０ｆ、４０ｇ、４０ｈが構成されている。
【００４７】
また、第２透光板５７は、第２基板５２の第２面５２ｂの一部を露出させた状態で電気光学パネル４０の少なくとも画像表示領域４０ａに重なるように設けられている。より具体的には、第２透光板５７は、第１透光板５６とサイズが略同一の四角形であり、第２基板５２よりはサイズが小さい。このため、第２透光板５７の端部５７１、５７２、５７３、５７４は各々、第２透光板５７の全周において第２基板５２の側端面５２１、５２２、５２３、５２４より内側に位置し、第２基板５２の側端面５２１、５２２、５２３、５２４と画像表示領域４０ａの端部との間に重なっている。このため、第２透光板５７の周りには、第２透光板５７の端部５７１、５７２、５７３、５７４と第２基板５２の第２面５２ｂとによって段部４０ｗ、４０ｘ、４０ｙ、４０ｚが構成されている。
【００４８】
（フレーム６０の構成）
本形態において、フレーム６０は、中央に矩形の開口部６８を備えた矩形枠状の樹脂製部材あるいは金属製部材であり、電気光学パネル４０の周りを囲む４つの枠部６１、６２、６３、６４を備えている。４つの枠部６１、６２、６３、６４において、隣り合う枠部同士の連結部（角部分）は、Ｚ軸方向の他方側Ｚ２に向けて突出した角柱状の柱状部６５１、６５２、６５３、６５４になっており、かかる柱状部６５１、６５２、６５３、６５４は、電気光学モジュール１０を投射型表示装置のフレーム等にネジ止めするためのネジ穴が形成された座部になっている。ここで、柱状部６５１、６５２、６５３、６５４は略四角柱状であるが、外周面の４つの角部分のうち、３つの角部分は湾曲した形状になっている。
【００４９】
フレーム６０は、金属製部材あるいは樹脂製部材からなり、本形態において、フレーム６０は、金属製部材からなる。かかるフレーム６０に、後述する入射側の見切り部材８０を取り付けると、フレーム６０の内側にパネル収容部６６が構成され、かかるパネル収容部６６は、見切り部材８０からなる底部を有している。
【００５０】
フレーム６０において、枠部６１、６２、６３、６４の内側面は、電気光学パネル４０に第２透光板５７を貼付した状態の端部の形状に対応する段部が構成されている。より具体的には、図８（ｂ）に示すように、パネル収容部６６の側面において、Ｘ軸方向の他方側Ｘ２に位置する枠部６１の内側面には、Ｚ軸方向で離間する位置に段部６１ａ、６１ｂが形成されている。段部６１ａ、６１ｂのうち、Ｚ軸方向の一方側Ｚ１に位置する段部６１ａは、電気光学パネル４０側の段部４０ｗと対峙しており、第２透光板５７の端部５７１は枠部６１の内側面と隙間を介して離間し、第２基板５２の側端面５２１は、枠部６１の内側面と極めて狭い隙間を介して離間している。また、Ｚ軸方向の他方側Ｚ２に位置する段部６１ｂは、電気光学パネル４０側の段部４０ｓと対峙しており、第１基板５１の側端面５１１は、枠部６１の内側面と隙間を介して離間している。ここで、枠部６１の最も外側には、Ｚ軸方向の他方側Ｚ２に向けて突出した板状突部６１９が形成されており、かかる板状突部６１９は、Ｙ軸方向で対向する２つの柱状部６５１、６５３の間の全体にわたって延在している。
【００５１】
Ｘ軸方向の一方側Ｘ１に位置する枠部６２の内側面には、枠部６１の内側面と同様、段部６２ａ、６２ｂが形成されている。段部６２ａは、電気光学パネル４０側の段部４０ｘと対峙しており、第２透光板５７の端部５７２は枠部６２の内側面と隙間を介して離間し、第２基板５２の側端面５２２は、枠部６２の内側面と極めて狭い隙間を介して離間している。また、段部６２ｂは、電気光学パネル４０側の段部４０ｔと対峙しており、第１基板５１の側端面５１２は、枠部６２の内側面と隙間を介して離間している。ここで、枠部６２の最も外側には、Ｚ軸方向の他方側Ｚ２に向けて突出した板状突部６２９が形成されており、かかる板状突部６２９は、Ｙ軸方向で対向する２つの柱状部６５２、６５４の間の全体にわたって延在している。
【００５２】
図８（ａ）に示すように、Ｙ軸方向の他方側Ｙ２に位置する枠部６３の内側面には、段部６３ａが形成されている。段部６３ａは、電気光学パネル４０側の段部４０ｙと対峙しており、第２透光板５７の端部５７３は枠部６３の内側面と隙間を介して離間し、第２基板５２の側端面５２３は、枠部６３の内側面と極めて狭い隙間を介して離間している。枠部６３において、段部６３ａより外側は、電気光学パネル４０の面内方向に広がる板状部６３ｆになっている。このため、第１基板５１の側端面５１３の外側にはフレーム６０が存在していない。
【００５３】
Ｙ軸方向の一方側Ｙ１に位置する枠部６４の内側面には段部６４ａが形成されている。かかる段部６４ａは、電気光学パネル４０側の段部４０ｚと対峙しており、第２透光板５７の端部５７４は枠部６４の内側面と隙間を介して離間している。枠部６４において、段部６４ａより外側は、電気光学パネル４０の面内方向に広がる板状部６４ｆになっており、段部６４ａと板状部６４ｆとの間はテーパー面６４ｇになっている。フレキシブル配線基板４０ｉは、電気光学パネル４０の面内方向（板状部６４ｆの面内方向）に沿って延在するようにフレーム６０の外側に引き出されている。板状部６４ｆにおいてフレキシブル配線基板４０ｉ側に位置する面には、２つの突部６４ｈが形成されている。このため、フレキシブル配線基板４０ｉの板状部６４ｆ側に向かっての変位は、突部６４ｈによって制限されている。
【００５４】
このように構成したフレーム６０を用いて電気光学モジュール１０を製造するには、図８（ａ）、（ｂ）に示すように、フレーム６０に後述する入射側の見切り部材８０を取り付けてフレーム６０の内側にパネル収容部６６を形成した後、パネル収容部６６の内側に電気光学パネル４０を収容する。より具体的には、電気光学パネル４０に第１透光板５６および第２透光板５７を貼付した後、フレーム６０において表示光が出射される側（Ｚ軸方向の他方側Ｚ２）から、第２透光板５７側を先行させるようにして電気光学パネル４０をフレーム６０の内側（パネル収容部６６）に設ける。その際、第２基板５２の側端面５２１、５２２、５２３、５２４は、第２透光板５７より外側に突出している。そこで、本形態では、枠部６１において段部６１ａ、６１ｂの間に位置する角部分をＺ軸方向の他方側Ｚ２に向かって斜めに向くテーパー面６１ｇとし、第２基板５２の端部をテーパー面６１ｇで内側にガイドするようになっている。また、枠部６２でも、枠部６１と同様、段部６２ａ、６２ｂの間に位置する角部分をＺ軸方向の他方側Ｚ２に向かって斜めに向くテーパー面６２ｇとし、第２基板５２の端部をテーパー面６２ｇで内側にガイドするようになっている。また、枠部６３では、内縁をＺ軸方向の他方側Ｚ２に向かって斜めに向くテーパー面６３ｇとし、第２基板５２の端部をテーパー面６３ｇで内側にガイドするようになっている。なお、枠部６４でも、段部６４ａと板状部６４ｆとの間に位置する角部分をＺ軸方向の他方側Ｚ２に向かって斜めに向くテーパー面６４ｇとし、第２基板５２の端部をテーパー面６４ｇで内側にガイドするようになっている。
【００５５】
（入射側の見切り部材８０の構成）
フレーム６０に対して光入射側（Ｚ軸方向の一方側Ｚ１）には、金属板あるいは樹脂板からなる板状の見切り部材８０が重ねて配置されている。本形態において、見切り部材８０は金属製であり、見切り部材８０においてＺ軸方向の一方側Ｚ１に向く面は反射面になっている。
【００５６】
見切り部材８０は、フレーム６０に対して光入射側で重なる四角形の端板部８７を備えており、端板部８７には、フレーム６０の開口部６８に重なる開口部８８が形成されている。開口部８８は、フレーム６０の開口部６８に比して小さく、端板部８７は、開口部６８の全周において開口部６８の内側に張り出している。このため、見切り部材８０の端板部８７は、電気光学パネル４０に光が入射する範囲を制限する見切り部として機能する。
【００５７】
図６、図７および図８に示すように、見切り部材８０は、端板部８７の外縁から延在する側板部８１、８２、８３、８４を備えている。これらの側板部８１、８２、８３、８４のうち、Ｙ軸方向の他方側Ｙ２に位置する側板部８３は、枠部６３のＺ軸方向の一方側Ｚ１の面に重なるように延在しており、先端側が枠部６３の形状に沿って斜めに屈曲している。また、Ｙ軸方向の一方側Ｙ１に位置する側板部８４は、枠部６４のＺ軸方向の一方側Ｚ１の面に重なるように延在しており、先端側が枠部６４の形状に沿って斜めに屈曲している。
【００５８】
Ｘ軸方向の他方側Ｘ２に位置する側板部８１は、枠部６１の外側面に重なるように端板部８７の端部からＺ軸方向の他方側Ｚ２に向けて略直角に屈曲している。本形態において、側板部８１は、Ｙ軸方向で離間する２個所に設けられており、かかる２枚の側板部８１の各々に係合穴８１０が形成されている。一方、フレーム６０の枠部６１の外側面には、２つの係合穴８１０の各々に嵌る突部６１７が形成されている。また、Ｘ軸方向の一方側Ｘ１に位置する側板部８２は、枠部６２の外側面に重なるように端板部８７の端部からＺ軸方向の他方側Ｚ２に向けて略直角に屈曲している。本形態において、側板部８２は、Ｙ軸方向で離間する２個所に設けられており、かかる２枚の側板部８２の各々には係合穴８２０が形成されている。一方、フレーム６０の枠部６２の外側面には、２つの係合穴８２０の各々に嵌る突部６２７が形成されている。従って、見切り部材８０は、フレーム６０を挟むように設けられた側板部８１、８２がフレーム６０の突部６１７、６２７に係合することによってフレーム６０に連結され、フレーム６０と一体化している。その結果、フレーム６０の内側には、見切り部材８０の端板部８７を底部とするパネル収容部６６が構成され、かかるパネル収容部６６に、第１透光板５６および第２透光板５７が貼付された電気光学パネル４０が収容される。
【００５９】
また、フレーム６０の枠部６１、６２の外側の面において、突部６１７、６２７に挟まれた位置には突部６９が形成されており、かかる突部６９は、電気光学モジュール１０を組み立てる際、板状カバー９０が係合する。
【００６０】
なお、本形態では、入射側の見切りとして、見切り部材８０の枠状の端板部８７を利用したが、第２透光板５７において端板部８７と重なる領域に遮光層を設け、かかる遮光層および見切り部材８０によって、入射側の見切りを行ってもよい。
【００６１】
（出射側の板状カバー９０の構成）
本形態では、第１透光板５６に対してＺ軸方向の他方側Ｚ２には、金属板または樹脂板からなる板状カバー９０が配置されている。本形態において、板状カバー９０は金属板からなり、Ｚ軸方向の他方側Ｚ２の面は、黒色化処理によって光吸収面になっている。このため、電気光学パネル４０から出射された光が他の部材で電気光学パネル４０に向けて反射しても、板状カバー９０で吸収することができるので、迷光の発生を防止することができる。
【００６２】
板状カバー９０は、第１透光板５６に対してＺ軸方向の他方側Ｚ２で重なる矩形の枠状板部９７を有しており、かかる枠状板部９７の中央には、画像表示領域４０ａと重なる領域に開口部９８が形成されている。開口部９８は、第１透光板５６よりサイズが小さく、それ故、枠状板部９７は、表示光の出射範囲を制限する見切り部として機能する。
【００６３】
また、板状カバー９０は、枠状板部９７においてＸ軸方向で対向する辺部分の外縁からＺ軸方向の一方側Ｚ１に向けて略直角に折れ曲がった一対の側板部９４を備えており、かかる側板部９４は、電気光学パネル４０に用いた第１基板５１の側端面５１１、５１２に被さっている。
【００６４】
また、一対の側板部９４の各々からはフレーム６０が位置する側（Ｚ軸方向の一方側Ｚ１）に向けて延在する係合板部９５が延在しており、かかる一対の係合板部９５には、フレーム６０に形成した突部６９が嵌る係合穴９５０が形成されている。ここで、側板部９４は、板状カバー９０のＹ軸方向の全体にわたって形成されているが、係合板部９５は、側板部９４よりＹ軸方向の寸法が小さく、側板部９４のＹ軸方向の中央からフレーム６０に向けて延在している。
【００６５】
（電気光学パネル４０等の固定構造および通気路の構成）
本形態の電気光学モジュール１０を組み立てるには、まず、フレーム６０に入射側の見切り部材８０を取り付けてフレーム６０の内側にパネル収容部６６を形成した後、第１透光板５６および第２透光板５７を貼付した電気光学パネル４０を収容する。次に、板状カバー９０をこの順に電気光学パネル４０に対してＺ軸方向の他方側Ｚ２に重ね、係合板部９５の係合穴９５０にフレーム６０の突部６９を係合させる。その結果、板状カバー９０とフレーム６０とが結合し、フレーム６０、入射側の見切り部材８０、および出射側の板状カバー９０によって、電気光学パネル４０が支持される。その際、フレーム６０の内側に接着剤を塗布しておけば、電気光学パネル４０をフレーム６０に接着固定することができる。
【００６６】
このようにして電気光学モジュール１０を組み立てた状態において、電気光学パネル４０の第１基板５１の側端面５１１が位置する側（Ｘ軸方向の他方側Ｘ２）には、第１透光板５６の端部５６１側の側端面、Ｘ軸方向の他方側Ｘ２で電気光学パネル４０が第１透光板５６の端部５６１から露出している部分、フレーム６０の枠部６１、および板状カバー９０の枠状板部９７によって周囲が囲まれた中空の第１通気路１９１が構成される。また、電気光学パネル４０の第１基板５１の側端面５１２が位置する側（Ｘ軸方向の一方側Ｘ１）には、第１透光板５６の端部５６２側の側端面、Ｘ軸方向の一方側Ｘ１で電気光学パネル４０が第１透光板５６の端部５６２から露出している部分、フレーム６０の枠部６２、および板状カバー９０の枠状板部９７によって周囲が囲まれた中空の第２通気路１９２が構成される。
【００６７】
ここで、第１通気路１９１および第２通気路１９２は、第１基板５１の側端面５１１、５１２に沿ってＹ軸方向に延在して電気光学モジュール１０のＹ軸方向の両端で開口している。より具体的には、第１通気路１９１および第２通気路１９２は各々、Ｙ軸方向の一方側Ｙ１では柱状部６５３、６５４の間において板状カバー９０の枠状板部９７とフレーム６０との間で開口し、Ｙ軸方向の他方側Ｙ２では柱状部６５１、６５２の間において板状カバー９０の枠状板部９７とフレーム６０との間で開口している。
【００６８】
従って、矢印Ａで示すように、図１に示す吸気ファン１５Ｂ等によって、電気光学パネル４０に対してＹ軸方向の他方側Ｙ２から一方側Ｙ１に向かう冷却空気の流れを形成した際、冷却空気は、柱状部６５１、６５２の間を通って電気光学モジュール１０の内部の第１通気路１９１および第２通気路１９２に流入し、その後、第１通気路１９１および第２通気路１９２から柱状部６５３、６５４の間を通って流出する。このため、電気光学パネル４０で発生した熱を冷却空気に効率よく逃がすことができる。
【００６９】
ここで、第１通気路１９１および第２通気路１９２のＹ軸方向の一方側Ｙ１への延長線上には柱状部６５３、６５４が位置するが、柱状部６５３、６５４の外周面の３つの角部分は、湾曲した形状になっており、柱状部６５３、６５４において第１通気路１９１および第２通気路１９２が開口している側は湾曲面になっている。また、第１通気路１９１および第２通気路１９２のＹ軸方向の他方側Ｙ２への延長線上には柱状部６５１、６５２が位置するが、柱状部６５１、６５２の外周面の３つの角部分は湾曲した形状になっているため、柱状部６５１、６５２において第１通気路１９１および第２通気路１９２が開口している側は湾曲面になっている。従って、第１通気路１９１および第２通気路１９２の延長線上に柱状部６５１、６５２、６５３、６５４が存在している場合でも、冷却空気は、柱状部６５１、６５２、６５３、６５４の湾曲面に沿ってスムーズに流れるので、第１通気路１９１および第２通気路１９２への冷却空気の流入や、第１通気路１９１および第２通気路１９２からの冷却空気の流出がスムーズである。それ故、冷却空気は、第１通気路１９１および第２通気路１９２において十分な流速をもって流れることになるので、冷却効率が高い。
【００７０】
（本形態の主な効果）
以上説明したように、本形態の電気光学モジュール１０では、第１基板５１の第２面５１ｂ（第２基板５２とは反対側の面）には、画像表示領域４０ａに重なるように第１透光板５６が設けられているため、電気光学物質層４５０（液晶層）に近い位置（第１基板５１）に塵が付着することがない。従って、電気光学パネル４０で生成した画像を投射した場合でも、塵の影響が画像に及びにくい。
【００７１】
また、第１透光板５６は、電気光学パネル４０の相対向する一対の側端面（第１基板５１の側端面５１１、５１２）と画像表示領域４０ａとの間に端部５６１、５６２が位置するため、電気光学パネル４０において第１基板５１の側端面５１１、５１２が位置する側は、第１透光板５６から露出している。また、電気光学パネル４０のＺ軸方向の他方側Ｚ２側には、第１透光板５６の電気光学パネル４０とは反対側の面に重なる枠状板部９７を備えた板状カバー９０が設けられており、かかる板状カバー９０は、係合板部９５がフレーム６０と係合してフレーム６０と結合されている。この状態で、板状カバー９０は、第１透光板５６の側端面、電気光学パネル４０の第１透光板５６の端部５６１、５６２からの露出部分、およびフレーム６０とともに、第１基板５１の側端面５１１、５１２の延在方向に沿って延在して延在方向の両側で開口する通気路（第１通気路１９１および第２通気路１９２）を構成している。このため、電気光学モジュール１０に供給された冷却空気は、図１に示す吸気ファン１５Ｂ等によって、図５（ｂ）や図８等に矢印Ａで示すように、電気光学パネル４０に対してＹ軸方向の他方側Ｙ２から一方側Ｙ１に向かう冷却空気の流れを形成した際、冷却空気は、図５（ｂ）に矢印Ａ０で示すように、柱状部６５１、６５２の間を通って電気光学モジュール１０の内部の第１通気路１９１および第２通気路１９２に流入する。そして、冷却空気は、第１通気路１９１および第２通気路１９２から柱状部６５３、６５４の間を通って流出する。このため、電気光学モジュール１０で発生した熱を、第１基板５１の側端面５１１、５１２および第１基板５１の第２面５１ｂにおいて第１透光板５６から露出している部分を介して第１通気路１９１および第２通気路１９２を流れる冷却空気に直接、逃がすことができる。
【００７２】
ここで、電気光学パネル４０の一方面側は、一部が第１透光板５６から露出し、かかる露出部分も第１通気路１９１および第２通気路１９２を構成しているため、第１通気路１９１および第２通気路１９２を通る冷却空気による冷却効果が高い。また、第１通気路１９１および第２通気路１９２を構成するにあたって、第１透光板５６のサイズを電気光学パネル４０のＺ軸方向の他方側Ｚ２側が部分的に露出するように小さくするとともに、板材を所定形状に加工した板状カバー９０を用いるため、比較的簡素な構成で電気光学パネル４０を効率よく冷却することができる。
【００７３】
また、板状カバー９０の枠状板部９７は、画像表示領域４０ａに対する見切り部を構成しているため、見切り部材を別途設ける必要がないという利点がある。また、板状カバー９０は、金属製であるため、電気光学パネル４０で発生した熱を、板状カバー９０を介して逃がすことができる。従って、電気光学パネル４０の温度上昇を低く抑えることができる。
【００７４】
さらに、第１透光板５６は電気光学パネル４０よりサイズが小さく、第１透光板５６の全周において電気光学パネル４０が露出している。このため、電気光学パネル４０が第１透光板５６から露出している面積が広いので、電気光学モジュール１０に供給された冷却空気が第１通気路１９１および第２通気路１９２に流入する際、および冷却空気が第１通気路１９１および第２通気路１９２から流出する際、第１基板５１の側端面５１３、５１４が位置する側（第１通気路１９１および第２通気路１９２が形成されていない側）も冷却空気によって効率よく冷却されることになる。
【００７５】
また、本形態では、板状カバー９０において係合板部９５が位置する側（第１通気路１９１および第２通気路１９２が形成されている側）では、フレーム６０にＺ軸方向の他方側Ｚ２に突出して第１通気路１９１および第２通気路１９２の延在方向に沿って延在する板状突部６１９、６２９が形成されている。このため、第１通気路１９１および第２通気路１９２が形成されている側に係合板部９５を設けた場合でも、係合板部９５がない部分は、板状突部６１９、６２９で第１通気路１９１および第２通気路１９２を区画することができる。それ故、係合板部９５を第１通気路１９１および第２通気路１９２の延在方向の全体にわたって設けなくても、第１通気路１９１および第２通気路１９２から冷却空気が漏れることを防止することができ、冷却空気の漏れに起因する冷却効果の低下を防止することができる。
【００７６】
また、第１基板５１および第２基板５２のうち、光源光の吸収による発熱が大きい素子基板（第１基板５１）の方を第１通気路１９１および第２通気路１９２を構成するのに用いたので、第１基板５１で発生した熱を効率よく逃がすことができる。
【００７７】
また、第１透光板５６および第２透光板５７として高価な石英基板を用いた場合でも、第１透光板５６および第２透光板５７のサイズを小さくした分、部品コストを低減することができる。
【００７８】
［実施の形態２］
上記実施の形態１では、第１通気路１９１および第２通気路１９２のＹ軸方向の延長線上にフレーム６０の角柱状の柱状部６５１、６５２、６５３、６５４が位置することから、柱状部６５１、６５２、６５３、６５４において第１通気路１９１および第２通気路１９２が開口している側の面を湾曲面にした。但し、柱状部６５１、６５２、６５３、６５４に円柱状にしてもよく、この場合も、冷却空気は、柱状部６５１、６５２、６５３、６５４の湾曲面に沿ってスムーズに流れるので、第１通気路１９１および第２通気路１９２への冷却空気の流入や、第１通気路１９１および第２通気路１９２からの冷却空気の流出がスムーズである。
【００７９】
［実施の形態３］
図９は、本発明の実施の形態３に係る電気光学モジュール１０から板状カバー９０を外した状態の斜視図である。なお、本形態の基本的な構成は、実施の形態１と同様であるため、共通する部分には同一の符号を付して、それらの説明を省略する。
【００８０】
実施の形態１では、第１通気路１９１および第２通気路１９２のＹ軸方向の延長線上にフレーム６０の角柱状の柱状部６５１、６５２、６５３、６５４が位置することから、柱状部６５１、６５２、６５３、６５４において第１通気路１９１および第２通気路１９２が開口している側の面を湾曲面にした。但し、図９に示すように、柱状部６５１、６５３をＸ軸方向の他方側Ｘ２にずらす一方、柱状部６５２、６５４をＸ軸方向の一方側Ｘ１にずらし、第１通気路１９１の延長線上および第２通気路１９２の延長線上を避けた位置に柱状部６５１、６５２、６５３、６５４を設けてもよい。かかる構成によれば、フレーム６０に柱状部６５１、６５２、６５３、６５４が設けられている場合でも、矢印Ａ１で示すように、冷却空気は、第１通気路１９１および第２通気路１９２に直線的に流入した後、第１通気路１９１および第２通気路１９２から直線的に流出する。このため、第１通気路１９１および第２通気路１９２への冷却空気の流入や、第１通気路１９１および第２通気路１９２からの冷却空気の流出の際、柱状部６５１、６５２、６５３、６５４によって流速が低下することを防止することができる。それ故、電気光学パネル４０に対する冷却効率を高めることができる。
【００８１】
［実施の形態４］
図１０は、本発明の実施の形態４に係る電気光学モジュール１０のＹａ−Ｙａ′断面図を拡大して示す説明図である。なお、本形態の基本的な構成は、実施の形態１と同様であるため、共通する部分には同一の符号を付して、それらの説明を省略する。
【００８２】
実施の形態１では、フレーム６０の枠部６３を平板状としたが、図１０に示すように、本形態では、枠部６３の上面６３ｉを第１基板５１の第２面５１ｂと略同一の高さ位置とし、枠部６３の上面６３ｉのＹ軸方向の他方側Ｙ２の端部をテーパー面６３ｈとしてある。このため、電気光学モジュール１０に対して、矢印Ａで示す冷却空気が供給された際、冷却空気は、テーパー面６３ｈによって第１基板５１の第２面５１ｂ側にガイドされて、実施の形態１等で説明した第１通気路１９１および第２通気路１９２に効率よく導かれる。それ故、第１通気路１９１および第２通気路１９２での冷却空気の流速を高めることができるので、電気光学パネル４０を効率よく冷却することができる。
【００８３】
［電気光学モジュールの他の形態］
上記実施の形態では、電気光学パネル４０において第２基板５２が光入射側に設けられ、第１基板５１が光出射側に設けられていたが、第２基板５２が光出射側に設けられ、第１基板５１が光入射側に設けられている電気光学モジュール１０に本発明を適用してもよい。
【００８４】
上記実施の形態では、電気光学パネル４０において第２基板５２が対向基板で、第１基板５１が素子基板であったが、第２基板５２が素子基板で、第１基板５１が対向基板である場合に本発明を適用してもよい。
【００８５】
上記実施の形態では、透過型の電気光学パネル４０を備えた電気光学モジュール１０を例示したが、反射型の電気光学パネル４０を備えた電気光学モジュール１０に本発明を適用してもよい。この場合、第１基板５１が対向基板であり、第２基板５２が素子基板であって、画素電極をアルミニウム等の反射性の金属膜によって形成することになる。
【００８６】
上記実施の形態では、投射型表示装置として投射像を観察する方向から投射を行う前面投射型表示装置を例示したが、投射像を観察する方向とは反対側から投射を行う背面投射型表示装置に用いる投射型表示装置に本発明を適用してもよい。
【００８７】
上記実施の形態では、電気光学パネルとして液晶パネルを例に挙げて説明したが、本発明はこれに限定されず、有機エレクトロルミネッセンス表示用パネル、プラズマディスプレイパネル、ＦＥＤ（Field Emission Display）パネル、ＳＥＤ（Surface-Conduction Electron-Emitter Display）パネル、ＬＥＤ（発光ダイオード）表示パネル、電気泳動表示パネル等を用いた電気光学モジュールに本発明を適用してもよい。
【００８８】
［他の電子機器］
本発明を適用した電気光学モジュールについては、上記の電子機器（投射型表示装置）の他にも、携帯電話機、情報携帯端末（ＰＤＡ：Personal Digital Assistants）、デジタルカメラ、液晶テレビ、カーナビゲーション装置、テレビ電話、ＰＯＳ端末、タッチパネルを備えた機器等の電子機器において直視型表示装置として用いてもよい。
【符号の説明】
【００８９】
１・・投射型表示装置、１０・・電気光学モジュール、４０・・電気光学パネル（液晶パネル）、４０ａ・・画像表示領域、５１・・第１基板（素子基板）、５２・・第２基板（対向基板）、５６・・第１透光板、５７・・第２透光板、６０・・フレーム、６６・・パネル収容部、８０・・見切り部材、９０・・板状カバー、１９１・・第１通気路、１９２・・第２通気路、４５０・・電気光学物質層（液晶層）、５１１・・第１基板の側端面（電気光学パネルの第１側端面）、５１２・・第１基板の側端面（電気光学パネルの第２側端面）、６１９、６２９・・板状突部、６５１、６５２、６５３、６５４・・柱状部
【図１】
0006047873.tif 000002
【図２】
0006047873.tif 000003
【図３】
0006047873.tif 000004
【図４】
0006047873.tif 000005
【図５】
0006047873.tif 000006
【図６】
0006047873.tif 000007
【図７】
0006047873.tif 000008
【図８】
0006047873.tif 000009
【図９】
0006047873.tif 000010
【図１０】
0006047873.tif 000011